(57)【要約】【課題】高強度のロック装置を採用しつつ操作性及び見栄えを向上する【解決手段】閉扉状態で係止用受け部８ｃに係脱するストライカー２を有し、扉が開から閉方向へ押されると受け部に対しストライカーを係合して閉扉状態に保持可能となり、扉を再度同方向へ押すことで前記係合を解除し開方向へ回動可能となるロック装置であって、ストライカー２を支持しているケース１と、ストライカーをケースから突出する方向へ付勢している付勢手段Ｓ1と、ストライカーに負荷を与えない通常の非作動位置から本体側突当部８ｅに当たった際の応力により回動される作動位置に切り換えられ、ストライカーを付勢力に抗し移動する切換部材３と、切換部材を非作動位置へ復帰させるばね手段と、切換部材が非作動位置から作動位置に切り換えられるたびにストライカーを付勢力に抗し移動した状態に保持する係止態様及び保持を解除する非係止態様に交互に可変する係止機構とを備える。【選択図】図５
2011094440.tif 000002
【特許請求の範囲】
【請求項１】
本体側開口部に対し一端側を支点に回動されて前記開口部を塞ぐ閉扉状態と開放する開扉状態とに切り換えられると共に、常時開方向へ付勢されている扉に用いられて、閉扉状態で前記本体に設けられた係止用受け部に係脱するストライカーを有し、前記扉が開から閉方向へ押されその押し力を解放すると、前記受け部に対し前記ストライカーを係合して閉扉状態に保持可能となり、前記扉を再度同方向へ押すことで前記係合を解除して閉から開方向へ回動可能となるロック装置であって、
前記扉に配設されて前記ストライカーを移動可能に支持しているケースと、
前記ストライカーを前記ケースから突出する方向へ付勢している付勢手段と、
前記ケースに枢支され前記ストライカーに負荷を与えない通常の非作動位置から前記本体側に設けられた突当部に当たったときの応力により回動され作動位置に切り換えられて、前記ストライカーを前記付勢手段の付勢力に抗して移動する切換部材と、
前記切換部材を作動位置から非作動位置へ復帰させるばね手段と
前記切換部材が非作動位置から作動位置に切り換えられるたびに、前記ストライカーを付勢力に抗して移動した状態に保持する係止態様及び前記保持を解除する非係止態様に交互に可変可能な係止機構
とを備えていることを特徴とするロック装置。
【請求項２】
前記係止機構は、前記ケースに取り付けられて前記ストライカーの対応部を内部に受け入れ可能な筐体と、前記筐体に摺動可能に配設された係止部付きの摺動体と、前記摺動体を前記筐体から突出する方向へ付勢しているばね部材と、前記摺動体に設けられたカム溝と、前記カム溝をトレースするピンとを有したラッチからなることを特徴とする請求項１に記載のロック装置。
【請求項３】
前記係止機構は、前記ストライカー側に設けられたカム溝と、前記ケース側に設けられて前記カム溝をトレースするピンとを有した構成であることを特徴とする請求項１に記載のロック機構。
【請求項４】
前記受け部は断面が略逆凹状をなし、前記ストライカーは前記切換部材が非作動位置から作動位置に回動された後、前記扉に対する開から閉方向への押し力を解放すると、前記係止機構が係止態様から非係止態様に切り換えられると共に、先端が前記受け部の逆凹状の下端面から逆凹状の内縁部に圧接しながら、前記扉と共に付勢力で移動されて逆凹状の窪みと係合可能となることを特徴とする請求項１から３の何れかに記載のロック装置。
【請求項５】
前記ケースを上下方向に移動可能に支持しているベースと、前記ベースに対する前記ケースの高さを可変する高さ調節手段とを有していることを特徴とする請求項１から４の何れかに記載のロック装置。
【請求項６】
前記扉に固定されて前記ケースを転倒可能に枢支する固定ブラケットと、前記ケースを前記固定ブラケットの正規位置に付勢している付勢手段とを有し、前記ストライカーが前記受け部と係合した状態で、前記ケースが所定大の振動を受けると転倒して前記係合を解除可能となることを特徴とする請求項１から５の何れかに記載の扉のロック装置。
【請求項７】
請求項１から６の何れかに記載のロック装置を備えていることを特徴とする扉。
【発明の詳細な説明】
【技術分野】
【０００１】
本発明は、扉に対する押し操作により扉を閉扉状態に保つよう係合し、次の押し操作により係合解除するロック装置及びそれを用いた扉に関する。なお、対象の扉は、本体側開口部に対し一端側を支点（この一端側は形態例のごとくガイドレール等に沿って移動される構成を含む）として回動されることで本体側開口部を塞ぐ閉扉状態と開放する開扉状態とに切り換えられるタイプである。好ましくは、クローゼットや間仕切り等に用いられて折り畳み展開しつつ移動可能な中折れ式扉（折戸）である。
【背景技術】
【０００２】
例えば、従来の中折れ式扉では、扉同士がロック装置により閉扉状態に保持されると共に、扉同士を連結している蝶番が付勢手段を有しその付勢力により閉扉状態での係合や保持作用を補う場合もある。また、従来構造では、ロック装置の係合解除と共に扉を開方向へ引く際の取っ手が必要となるため、見栄えが扉の意匠面側の取っ手により悪くなる。特許文献１はその対策例を開示している。構造特徴は、操作時に使用する取っ手として、扉に設けられる手掛け用凹所を蝶番（ヒンジ）との関係で見えにくく設けることで外観性を向上したものである。また、公知技術には、取っ手の一種としてワンプッシュで扉表面に没入させ、この状態で再度プッシュすることにより扉表面に突出する出没式取っ手にした構成、閉扉状態における扉のばた付きを押さえるための手段として、レール内に納めるためのキャッチ部材を設けた構成もある。
【先行技術文献】
【特許文献】
【０００３】
【特許文献１】特開２００８−２４０３７７号公報
【発明の概要】
【発明が解決しようとする課題】
【０００４】
特許文献１の構造では、手掛け用凹所を小さくするほど見栄えを改善できるが、凹所を小さくすると操作性が悪くなる。また、出没式取っ手では、扉表面を完全には平面にできず操作もその分面倒となる。キャッチ部材を用いる構造では、キャッチ部材の取付精度に煩わされたり操作性もその分面倒となる。なお、従来のロック装置には、扉を最初の押し操作により本体側に係合保持し、次の押し操作により係合解除するプッシュ・プッシュ係止機構（例えば、特開２００６−２１４１０５号公報に開示の構成）がある。しかし、この構造では、ロック装置と該ロック装置に係脱する棒状係脱部材（ストライカー等と称されている）とを必須としている関係で、係合強度に制約され易く、扉がクローゼット等のごとく大型かつ重くなったり中折れ式になると適用困難となる。
【０００５】
そこで、本発明者らは、以上のような課題認識から閉扉状態で本体の開口部側に設けられた係止用受け部に係脱、つまり突出係合したり係合解除する高強度のロック装置として、先に特願２００９−１９１３０などに記載の構成を工夫し出願した。このロック装置では、特に、扉が開から押されることで閉扉状態に係合保持され、閉扉状態から再び押されることで係合解除された後、開方向へ付勢力で回動される。本発明は、それを更に改良して部材数を減らしてコスト低減及び小型化を図ることを目的としている。
【課題を解決するための手段】
【０００６】
上記目的を達成するため本発明は、形態及び変形例を参照して特定すると、本体側開口部に対し一端側を支点に回動されて前記開口部を塞ぐ閉扉状態と開放する開扉状態とに切り換えられると共に、常時開方向へ付勢されている扉９Ｂに用いられて、閉扉状態で前記本体に設けられた係止用受け部８ｃ（例えば、ガイドレールの凹溝）に係脱するストライカー２を有し、前記扉が開から閉方向へ押されその押し力を解放すると、前記受け部に対し前記ストライカーを係合して閉扉状態に保持可能となり、前記扉を再度同方向へ押すことで前記係合を解除して閉から開方向へ回動可能となるロック装置であって、前記扉９に配設されて前記ストライカー２を移動可能に支持しているケース１と、前記ストライカー２を前記ケース１から突出する方向へ付勢している付勢手段Ｓ1と、前記ケースに枢支され前記ストライカーに負荷を与えない通常の非作動位置から前記本体側に設けられた突当部８ｅに当たったときの応力により回動され作動位置に切り換えられて、前記ストライカー２を前記付勢手段の付勢力に抗して移動する切換部材３と、前記切換部材を作動位置から非作動位置へ復帰させるばね手段Ｓ2と、前記切換部材が非作動位置から作動位置に切り換えられるたびに、前記ストライカー２を付勢力に抗して移動した状態に保持する係止態様及び前記保持を解除する非係止態様に交互に可変可能な係止機構４又は４Ａとを備えていることを特徴としている。
【０００７】
以上の本発明において、上記係止機構は、プッシュ・プッシュ、浮出しラッチ、プッシュロック・プッシュオープンなどと称されているものであり、非係止態様にあるとすると、ストライカーが切換部材により最初に押されると係止態様（ストライカーを移動した状態で係止する）となり、次に押されると非係止態様（ストライカーの係止を解除する）となる、つまり切換部材を介して係止態様と非係止態様とに交互に切り換わる。また、上記受け部は、本体側の対応部に略凹状に形成する構成、又は、形態のごとく本体側開口部に設けられて扉を回動したり移動するためのガイドレールの凹溝を利用する構成でもよい。また、ストライカーの先端（上係合部）は、扉開閉方向の形状として、好ましくは前側（扉開方向にある側）が係止用の略垂直面、後側（扉閉方向にある側）が解除用傾斜面に形成される。
【０００８】
以上の本発明は、請求項２〜７のごとく具体化されることがより好ましい。すなわち、（１）前記係止機構４は、図１〜図９に例示されるごとく、前記ケース１に取り付けられて前記ストライカー２の対応部を内部に受け入れ可能な筐体４０と、前記筐体に摺動可能に配設された係止部４２付きの摺動体４１と、前記摺動体を前記筐体から突出する方向へ付勢しているばね部材と、前記摺動体に設けられたカム溝４３と、前記カム溝をトレースするピン４４とを有したラッチからなる構成である（請求項２）。
（２）前記係止機構４Ａは、図１１及び図１２に例示されるごとく、前記ストライカー２Ａ側に設けられたカム溝４５と、前記ケース１側に設けられて前記カム溝をトレースするピン４６とを有した構成である（請求項３）。
【０００９】
（３）前記受け部８ｃは断面が略逆凹状をなし、前記ストライカーは前記切換部材３が非作動位置から作動位置に回動された後、前記扉に対する開から閉方向への押し力を解放すると、前記係止機構が係止態様から非係止態様に切り換えられると共に、先端（上端）が前記受け部の逆凹状の下端面から逆凹状の内縁部に圧接しながら、前記扉と共に付勢力で移動されて逆凹状の窪みと係合可能となる構成である（請求項４）。
（４）前記ケース１を上下方向に移動可能に支持しているベース５と、前記ベース５に対する前記ケース１の高さを可変する高さ調節手段６とを有している構成である（請求項５）。
【００１０】
（５）前記扉に固定されて前記ケース１を転倒可能に枢支する固定ブラケット５５Ａ又は５５と、前記ケース１を前記固定ブラケットの正規位置に付勢している付勢部材Ｓ3とを有し、前記ストライカーが前記受け部８ｃと係合した状態で、前記ケース１が所定大の振動を受けると転倒して前記係合を解除可能となる構成である（請求項６）。
（６）これに対し、請求項７は以上の各ロック装置を用いた扉を特定したものである。より好適な扉構造としては、形態に示したごとく扉がガイドレールに沿って折り畳み展開しつつ移動可能な中折れ式扉である。
【発明の効果】
【００１１】
請求項１の発明では、閉扉状態で本体側の係止用受け部に係脱、つまり係合したり係合解除するストライカーを有した高強度のロック構造を採用しながら、ストライカー及びそれに付設される付勢手段、切換部材及びそれに付設されるばね手段、係止機構を含む簡単な構造により、扉に対する押し操作により扉を開から閉扉状態に切り換えたり、次の押し操作により係合解除して開扉状態に切り換えるため、操作性を良好にでき、しかも従来の取っ手を不要にして外観性も向上できる。
【００１２】
請求項２の発明では、係止機構としてハウジング、摺動体、ばね部材、カム溝及びピンを有した既存のラッチ（例えば浮出しラッチと称されているもの）を用いるため組立性及び汎用性に優れている。これに対し、請求項３の発明では、係止機構としてストライカー側のカム溝及びケース側のピンからなるため簡略化及びコスト低減をより図ることができる。
【００１３】
請求項４の発明では、ストライカーが受け部と対向すると、付勢力で移動されて受け部の逆凹状内に突出し係合するとき付勢力に比例したはじき音ないしは衝撃音を生じるが、ストライカーの先端（上端）を受け部の逆凹状の下端面から逆凹状の内縁部に圧接しながら係合するようにして、はじき音ないしは衝撃音を、制動部材を追加すことなく圧接による摩擦力によって簡易に低減できる。
【００１４】
請求項５の発明では、例えば、ロック装置を扉へ取り付けた後でもベースに対して高さ調節手段により高さを微調節できるため、扉への取付精度を緩和できる。
【００１５】
請求項６の発明では、例えば、子供が扉で開閉される本体側開口部の内側（収納室等）に閉じ込められた場合等の非常時において、扉の背面から扉を叩く等して所定大の振動を加えるだけで、ロック装置が固定ブラケットに対し付勢力に抗して強制的に転倒して係合解除可能となるため、異常事態（人が扉の背面側空間に閉じ込められたとき等）に無理開き可能にして信頼性及び安全性を向上できるようにする。
【００１６】
請求項７の発明では、扉として、請求項１〜６の作用効果を具備できる。扉が形態に示したごとく扉の他端の移動をガイドレールの凹溝或いはガイド用の凹溝に沿って折り畳み展開しつつ移動可能な中折れ式扉であれば、係止用受け部としてそのガイドレールやガイド用凹溝を利用できる。
【図面の簡単な説明】
【００１７】
【図１】図１は本発明を適用したロック装置を備えた中折れ式の扉を示し、（ａ）は扉の意匠面側から見た概略斜視図、（ｂ）は背面側から見た概略斜視図である。
【図２】図２は上記蝶番の一部を破断して示す概略斜視図である。
【図３】図３（ａ）と（ｂ）は形態のロック装置を正面と背面より見た状態で示す外観図である。
【図４】図４（ａ）は上記ロック装置をストライカーをケースより突出したときの状態図、（ｂ）は更に高さ調節手段により主要部の高さを変更したときの状態図である。
【図５】図５は上記ロック装置の全体構成を示す概略分解斜視図である。
【図６】図６（ａ）と（ｂ）は扉を開から閉方向へ押している状態を想定したロック装置の要部とラッチを示す模式作動図である。
【図７】図７（ａ）と（ｂ）は扉が更に閉方向へ押された後、押し力を解放した状態を想定したロック装置の要部とラッチを示す模式作動図である。
【図８】図８（ａ）と（ｂ）は扉が図７の状態から更にロック装置で閉扉状態に保持されるまでを想定したロック装置の要部を示す模式作動図である。
【図９】図９（ａ）と（ｂ）は扉の閉扉状態で子供等が閉じ込められた非常時における係合解除（無理抜き構造）する操作要領を示す模式図である。
【図１０】図１０（ａ）〜（ｃ）は無理抜きした後の復元動作を示す模式図である。
【図１１】図１１は変形例のロック装置を図５に対応させて示す図である。
【図１２】図１２（ａ）〜（ｄ）は図１１のロック装置を使用したときの係止機構を説明する模式図である。
【発明を実施するための形態】
【００１８】
以下、本発明を適用した形態及び変形例を図面を参照して説明する。この説明では、本体側開口部と扉の構成、蝶番の構成、ロック装置の構成、組立要領、高さ調節操作、ロック装置の主作動、無理抜き構造、変形例の順に詳述する。
【００１９】
（本体側開口部と扉の構成）形態のロック装置ＲＥは、図１に例示したごとく本体側開口部に対し一端側を支点として回動されることで本体側開口部を塞ぐ閉扉状態と開放する開扉状態とに切り換えられる扉９Ｂ又は扉９Ａに用いられる。図１はその一例として、本体８の開口部が左右の縦材８ａ及び上下の横材８ｂで区画形成されている。この開口部は、例えば、居室や廊下などの共有空間と、ウオークインクローゼットや物入れ等の閉空間とを、中折れ式扉９Ａ，９Ｂを介して開閉ないしは連通する箇所である。上側の横材８ｂの内面には、断面略逆凹状のガイドレール８ｃが取り付けられ、そのガイドレール８ｃの凹溝が長手方向に沿って延びている。下側の横材８ｂの内面には、ガイド用の凹溝８ｄが長手方向に沿って形成されている。ガイドレール８ｃの凹溝は本発明の受け部として利用される。このため、符号８ｃは受け部８ｃとして表記することもある。また、上側の横材８ｂの内面には、ガイドレール８ｃよりウオークインクローゼットや物入れ等の閉空間となる側に突当部８ｅが略垂直に下設されている。この突当部８ｅは、ロック装置ＲＥに対応して設けられて、そのロック装置を構成している切換部材３が当たることで扉９Ｂが前記閉空間側へ移動するのを阻止する。この例では、突当部８ｅが金属などで形成された略Ｔ形の押し込み防止ストッパーにより構成されている。
【００２０】
扉９Ａ,９Ｂは、前面（意匠面）側、すなわち前記した共有空間に配される側は、図１（ａ）に示されるごとく平坦面に形成され、取っ手或いは手掛け用凹所等を一切なくした意匠形状に造形されている。これに対し、扉９Ａ,９Ｂの背面、すなわち前記した閉空間側における扉同士の対向端は、図１（ｂ）に示されるごとく複数（この例では３つ）の蝶番７によって折曲可能に連結されている。扉９Ａは、一端側が縦材８ａに接近配置されて、不図示の枢軸等を介して回動可能に枢支されているが、ガイドレール８ｃと凹溝８ｄに沿って不図示の枢軸等を介して移動可能かつ回動可能に枢支するようにしてもよい。これに対し、扉９Ｂは、一端側がガイドレール８ｃと凹溝８ｄに沿って不図示の枢軸（この枢軸はピン構成、ローラー構成の場合もある）を介して移動可能かつ回動可能に枢支されている。また、扉９Ｂには、上側の蝶番７の近傍で、扉の背面上縁側には凹所９ａが設けられ、ロック装置ＲＥがその凹所９ａに取り付けられている。
【００２１】
（蝶番の構成）図１（ｂ）、図２において、蝶番７は、扉９Ａと扉９Ｂとにまたがって複数のねじＢにより扉対応部に固定されると共に、各扉を常時開扉状態、つまり外側に向けて折曲するよう付勢する付勢ばね６９を有している。詳述すると、蝶番７は、図２に例示されるごとく対応する扉に取り付けられる左右の蝶番片６７，６７と、各蝶番片６７，６７を上下の連結部６７ａを介して回動自在に支持している枢軸６８と、枢軸６８の外周に配置されるコイル形の付勢ばね６９と、枢軸６８に対し付勢ばね６９を覆うようにして回動自在に枢支され、かつ付勢ばね６９の対応端６９ａ又は６９ｂを掛け止めした状態で対応する蝶番片６７に重ねられるカバー兼用のばね受け片７ａ，７ｂとからなる。そして、各蝶番片６７には、付勢ばね６９及びばね受け片７ａ，７ｂを介して、矢印で示す折り曲げる付勢力が常時加わっている。このため、この蝶番７では、ロック装置ＲＥの係合解除、つまり非ロック状態において、図１（ａ）に示されるごとく扉９Ａ，９Ｂ同士を略ヘの字形（付勢力が強いと略Ｖの字形）となる方向へ折り曲げて開扉状態に切り換える。このような蝶番は市販品を使用してもよい。
【００２２】
（ロック装置の構成）このロック装置ＲＥは、扉９Ｂの凹所９ａに対し直接或いはベース５などを介して配設されるケース１と、ケース１の空間１５ａに上下移動可能に支持されるストライカー２と、ストライカー２をケース１から突出する方向へ付勢している付勢手段Ｓ1と、ケース１に枢支されてストライカー２に負荷を与えない通常の非作動位置から本体側開口部に設けられた突当部８ｅに当たったときの応力により作動位置に回動される切換部材３と、切換部材３を作動位置から非作動位置へ復帰させるばね手段Ｓ2と、切換部材３が非作動位置から作動位置に切り換えられるたびに、ストライカー２を付勢手段Ｓ1の付勢力に抗して移動した状態に保持する係止態様及び前記保持を解除する非係止態様に交互に可変する係止機構としてのラッチ４とを備えている。そして、ロック装置ＲＥは、ラッチ４がストライカー２を付勢力に抗して保持した係止態様で、扉９Ｂが付勢ばね６９の付勢力に抗して開から閉方向へ押されその押し力を解放すると、ラッチ４が切換手段３及びストライカー２を介して係止態様から非係止態様に切り換えられて受け部８ｃ（この例ではガイドレール８ｃの凹溝）にストライカー２を係合して閉扉状態に保持可能となり、扉９Ｂが再度同方向へ押されると、ラッチ４が切換手段３及びストライカー２を介して係止態様に切り換えられて前記係合を解除し、扉９Ｂを付勢力により閉から開方向へ切り換えられるようにする。
【００２３】
また、以上のロック装置ＲＥは、ケース１を直接又はこの例のごとくアジャスタケース６０を介して移動可能に支持しているベース５、及びベース５に対するケース１の高さを可変するアジャストケース６０を含む高さ調節手段６を有している。更に無理抜き構造として、ケース１を転倒可能に枢支する固定ブラケット５５Ａと、固定ブラケット５５Ａに一体化されて前記ケース１を正規位置に解除可能に弾性保持する板金５５Ｂと、ケース１を固定ブラケット５５Ａの正規位置方向へ付勢している付勢部材Ｓ3とを有している。以下、各部材の細部を明らかにする。
【００２４】
まず、ケース１は、前後壁１０，１１及び両側壁１２などで区画される略上開口した容器状をなし、ストライカー２及びラッチ４を配置する空間１５ａと、空間１５ａの両側に内壁を介して区画されて切換部材３の両脚部３１を挿通する小空間１５ｂとを形成している。空間１５ａは不図示の底壁を有し、該底壁に付勢手段Ｓ1であるコイルばねの下側を支持する軸部１４ｃ（図９を参照）と、ラッチ４を取り付ける不図示の取付部とが設けられている。符号１３は前記底壁の左右中間に下設された片部である。この片部１３には、図３（ａ）に示されるごとく嵌合孔１３ａが左右に貫通されている。また、前壁１０には、上側を大きく開口した切欠部１６と、下側中間に設けられて付勢部材３の対応端を係止する係止部１７とが設けられている。後壁１１には、空間１５ａ内に設けられてストライカー２を案内する左右のガイド溝１４ａ及び中間のガイド溝１４ｂと、ガイド溝１４ｂの一部を貫通してストライカー２の突起２３ａと嵌合して該ストライカー２のケース空間１５ａからの抜けを防ぐ規制溝１４ｃ（図６（ａ）を参照）とが設けられている。両側壁１２の下側には、軸孔１８が前記嵌合孔１３ａと同軸線上に貫通されている。両側壁１２の上外面には係止部１９がそれぞれ設けられている。各係止部１９は、後側から前に行くほど高くなる傾斜面と、略垂直となった前端面とを有している。
【００２５】
ストライカー２は、小ブロック状の本体２０と、本体２０の上面から上へ突出された上係合部２１と、本体２０の両側面に設けられたガイドリブ２２と、本体２０の後面に設けられたガイドリブ２３と、本体２０の下面から下へ突出された下係合部２４及び下係合部２４の手前に設けられた筒部２５とを有している。このうち、本体２０の上面は、後側より前に行くほど低くなる傾斜面となっている。上係合部２１は、前側が解除用傾斜面２１ａ、後側が係止用垂直面２１ｂとなっており、本体開口部の受け部８ｃと係脱する。両側のガイドリブ２２及び後側のガイドリブ２３は、空間１５ａ内のガイド溝１４ａ及びガイド溝１４ｂに嵌合する。ガイドリブ２３は背面側へ突出した突起２３ａを有している。下係合部２４は、図６（ｂ）に示されるごとく下端に爪部２４ａを有し、空間１５ａ内に装着されるラッチ４に係脱される。筒部２５は、ストライカー２をケース１より突出する方向へ付勢する付勢手段Ｓ1であるコイルばねの上部分を位置決めする。
【００２６】
切換部材３は、概略コ形状となっており、水平に配置される中間部３０と、中間部３０の両側に下設された左右の脚部３１とからなる。中間部３０は、後面両側に突設されてストライカー側本体２０の上面に当接可能となる押し部３２と、前面上側を構成して本体側開口部の突当部８ｅに当たり易くなるよう若干傾斜された当て部３３とを有している。各脚部３１は、下端側にあって同軸線上に貫通されている軸孔３４を有し、ケース１の対応する小空間１５ｂに挿通される。以上の切換部材３は、ケース１に対しシャフト３５を軸孔３４及び軸孔１８に挿通した状態で所定角だけ回動可能に枢支される。
【００２７】
ラッチ４は、本発明の係止機構に相当し、ストライカーの下係合部２４を内部に受け入れ可能な筐体４０と、筐体４０に摺動可能に配設された係止部４２付きの摺動体４１と、摺動体４１を筐体４０から突出する方向へ付勢している不図示のばね部材と、摺動体４０に設けられた略ハート形カム溝４３及びカム溝４３をトレースするピン４４とを有し、空間１５ａの底壁に設けられた取付部に装着される。そして、以上のラッチ３４は、図７（ｂ）の非係止態様から、ストライカー２が切換部材３を介して図６（ｂ）の矢印方向に押されると、下係合部２４が摺動体４０の対応部に突き当たり、摺動体４０を付勢力に抗して筐体４０内に押し込む。この状態で係止部４２は筐体４０内を後退しつつ下係合部の爪部４２ａを拘束して、同図のごとく後退位置で係止する係止態様となる。また、この状態から、ストライカー２が切換部材３を介して図６（ｂ）の矢印方向に押されると、前記係止が解除されて、摺動体４０が付勢力により押されて係止部４２を筐体４０から突出する方向へ移動し、爪部４２ａに対する係止部４２の拘束を解放する非係止態様に切り換えられる。
【００２８】
高さ調節手段６は、ケース１をシャフト３５を支点として転倒可能に支持しているアジャスタケース６０と、アジャスタケース６０をベース５に対し上下に可変する操作部材６５とを有している。ここで、操作部材６５は、操作用頭部及び雄ねじからなるボルト構成からなる。アジャスタケース６０は、ケース１の下側を配置する空間を区画している保持部６１と、保持部６１の下側に一体化されて操作部材６５の頭部を操作可能に配置する空間を区画している機能部６２とからなる。保持部６５は前開口している。ここには、両側壁６１の下側を同軸線上に貫通している軸孔６１ａと、両側壁６１の外面に設けられたガイドリブ６１ｂと、一方側壁６１の下内側の隅に沿って設けられているばね用係止溝６１ｃとが設けられている。機能部６２には、窪み部６３が前壁の左右中間から後側へ向かって切り欠かれていると共に、窪み部６３を区画している底面の一部に下方へ貫通した挿通部６４を形成している。図３中、符号６４ａは保持部６５の下側から機能部６２に亘って切り欠かれたばね用係止溝である。なお、図６〜図９では、作図上の制約から高さ調整手段６を簡略化している。
【００２９】
ベース５は、ケース１をアジャスタケース６０を介して上下方向に移動可能に支持したり、ケース１がここを基準面としてアジャスタケース６０及び操作部材６５からなる高さ調節手段６を介して所定寸法だけ上下方向へ位置調節可能にするための部材である。すなわち、ベース５は中間部５０及び両側壁５１で区画される概略Ｕ形状となっている。中間部５０には上面中央部に雌ねじ部５４が設けられている。雌ねじ部５４は、操作部材６５の雄ねじと螺合する雌ねじを中間部５０に形成する構成、中間部５０の厚さ内に装着したナットを用いる構成の何れかである。両側壁５１には、内面に設けられたガイド溝５１ａと、下外面に突設された係止爪５２と、略上下中間部に貫通された長孔形状の逃げ孔５３とが設けられている。
【００３０】
また、以上のベース５は、図３及び図５に示されるごとく形態のロック装置ＲＥに無理抜き構造を採用するため固定ブラケット５５Ａ及び固定ブラケット５５Ａに連結される板金５５Ｂを有している。ここで、固定ブラケット５５Ａ及び板金５５Ｂはプレス品であるが、樹脂成形品でもよい。固定ブラケット５５Ａは、ベース５に装着される両下側の装着部５６と、各装着部５６を一体化して扉側に固定される取付部５７とからなる。装着部５６には、係止爪５２が係合される係合孔５６ａと、逃げ孔５３に対応する逃げ孔５６ｂとが設けられている。取付部５７は、ケース１の背面側より両側部１２に沿って配置されるよう形成され、扉の対応部にねじで固定する際の取付孔５７ａと、上端を折り曲げて扉の対応部に引っ掛けられる掛止め部５７ｂとを有している。これに対し、板金５５Ｂは、固定ブラケット５５Ａの内側に配置される形状に設定され、取付部５７と同様にケース１の背面側より両側部１２に沿って配置されるよう形成された取付部５８と、各取付部５８に設けられて取付孔５７ａに重ねられる取付孔５８ａと、両取付部５８の内側で一段短く形成されている弾性変形可能な係合片部５９とを有している。
【００３１】
（組立要領）以上のストライカー２は、ケースの空間１５ａに対し、後述するラッチ４を装着した後に付勢手段Ｓ1と共に組み込まれ、両ガイド溝１４ａに対応ガイドリブ２２を、ガイド溝１４ｂにガイドリブ２３を嵌合した状態で移動可能となり、また、突起２３ａが規制溝１４ｃの上端に当たって抜け止めされる（図８を参照）。次に、切換部材３は、両脚部３１を対応する小空間１５ｂに差し込むと、中間部３０が空間１５ａ内に配置される。この状態では、押し部３２同士の間に本体２０の上面中間部を逃がし、各押し部３２が本体２０上面の対応側部分と対向する。以下、この状態を半組立品という。
【００３２】
一方、ベース５には、アジャスタケース６０がガイド溝５１ａにガイドリブ６１ｂを嵌合した状態で上下動可能に組み込まれる。その際は、操作部材５がその頭部を窪み部６３に配置した状態にされ、また、アジャスタケース６０がベース５の下側へ移動配置された状態で人の指や工具により前記頭部を回転して雄ねじ部を雌ねじ部５４に螺入するようにする。また、ベース５には、固定ブラケット５５Ａが係止爪５２と係合孔５６ａとの係合により装着される。その際は、板金５５Ｂが取付孔５７ａと取付孔５８ａとを一致するよう固定ラケット５５Ａの内側に配置される。以上の状態から、上記半組立品は、アジャスタケース６０に対しシャフト３５を介して枢支される。
【００３３】
すなわち、シャフト３５は、例えば図５の状態において、固定ブラケット側の左側逃げ孔５６ｂ、アジャスタケース側の左側軸孔６１ａ、ばね手段Ｓ2であるコイルばね、片部１３の嵌合孔１３ａ（図３を参照）、付勢手段Ｓ3であるコイルばね、ケース側の一方軸孔１８、切換部材側の一方軸孔３４、切換部材側の他方軸孔３４、ケース側の他方軸孔１８、アジャスタケース側の他方軸孔６１ａ、固定ラケット側の他方逃げ孔５６ｂに貫通されて串差し状態に配置される。その後、シャフト３５は、止め輪３７が両端側に設けられた周回溝３６にそれぞれ係止されることで抜け止めされる。
【００３４】
次に、付勢手段Ｓ2であるコイルばねは、図３に示されるごとく、一端がアジャストケース側の係止溝６１ｃ（図５を参照）に係止され、他端が付勢力を発現しながら切換部材の一方脚部３１の下側部分に係止され、それにより切換部材３がケースの前壁内面に沿って配されて略垂直状態に保持される。この状態が切換部材３の非作動位置である。また、付勢手段Ｓ3であるコイルばねは、一端がアジャストケース側の係止溝６４ａ（図３を参照）に係止され、他端が付勢力を発現しながらケース側の係止部１７に係止される。それにより、ケース１は、アジャストケース６０内側に収まるよう配されて略垂直状態に保持され、また、板金５５Ｂの係合片部５９とケース側部の係止部１９との係合により固定ブラケット５５Ａに係合され弾性保持される。図３のロック装置ＲＥはこのようにして組み立てられたものでケース１が正規状態となっている。
【００３５】
（高さ調節操作）以上のロック装置ＲＴは、図１に示されるごとく扉９Ｂに設けられた凹所９ａに取り付けられる。凹所９ａは、本体側開口部に設けられている受け部８ｃに対応して予め設けられる。ところで、通常は部材間に大小の寸法誤差がある。このため、ロック装置ＲＴは、凹所９ａ内に配置してねじ等を取付孔５８ａ，５７ａに挿通して固定操作するとき、ストライカー２が図４（ａ）に示されるごとく付勢手段Ｓ1の付勢力でケース１から突出した状態で受け部８ｃと設計通り係合するよう、凹所９ａ内での取付高さを正確に決めなければならない。この操作は以外と煩わしいものである。そこで、このロック装置ＲＴでは、凹所９ａに一旦固定した後でも高さを調節できるようにして取付操作性を良好となるよう工夫されている。
【００３６】
すなわち、図４（ｂ）は、ロック装置ＲＴを構成している上記アジャストケース６０を含めた上側（ケース１、ストライカー２、切換部材３、ラッチ４、付勢手段Ｓ1、ばね手段Ｓ2、付勢部材Ｓ3）をベース５に対し数ミリだけ矢印の上方へ位置調節した状態を示している。この操作は、窪み部６３に露出されている操作部材６５の頭部を指などで矢印で示す右方向へ回転操作する。高さを減じる場合は、操作部材６５を逆方向に回転操作することになる。この例では、操作部材６５が回転によりベースの雌ねじ５４との螺合を介してねじ送りされ、上記アジャストケース６０を含めた上側（ケース１、ストライカー２、切換部材３、ラッチ４、付勢手段Ｓ1、ばね手段Ｓ2、付勢部材Ｓ3）を約１０ｍｍの範囲でベース５（及び固定ブラケット５５Ａ）に対しガイド溝５１ａとガイドリブ６１ｂとの案内作動を伴ってスムースに上下動できるようになっている。
【００３７】
（ロック装置の主作動）次に、以上のロック装置ＲＥを用いたときの開扉状態（扉の開）から、閉扉状態に切り換えたり、閉扉状態から再び開扉状態に切り換えるときの作動について図６〜図８を参考にして明らかにする。これらの図中、右向きの矢印は扉を開方向へ付勢している付勢力を示し、左向きの矢印（１）と（２）は扉を付勢力に抗して押している押し力を示し、矢印（１）は扉が開から閉じ方向への押し力、矢印（２）は閉扉状態から更に閉じ方向への押し力を示している。
【００３８】
（１）まず、開扉状態では、図１から推察されるごとく蝶番側の付勢ばね６９の付勢力により、扉９Ａ，９Ｂ同士の対向端部は手前方向へ向けてへの字形（付勢力がより強いと更にＶの字形）に回動されている。なお、この状態で、扉９Ｂを手で矢印方向へ押圧することにより、扉９Ａ，９Ｂ同士が折り畳まれ、本体８側開口部の幅を大きく開口することができる。この開扉状態において、ロック装置ＲＴは、図６（ａ）の右側に示されるごとく切換部材３はストライカー２に負荷を与えない通常の起立状態つまり非作動位置にあり、ストライカー２は付勢手段Ｓ1の付勢力に抗して下へ移動され、ラッチ４によりその移動した状態に保持されている。このラッチ４は、図６（ｂ）のごとくラッチ４を構成している対の係止部４２が下係合部２４の爪部２４ａを拘束して筐体４０内に係止、つまり係止態様となっている。
【００３９】
（２）扉９Ａ，９Ｂを開から閉扉状態にする場合は、図６（ａ）のごとく手や指で扉９Ｂ又は扉９Ａを蝶番７の付勢ばね６９の付勢力に抗して矢印（１）で示す閉方向へ押す。この押圧過程において、切換部材３は、図６（ａ）の左側のごとく当て部３３が本体側開口部の突当部８ｅに当接すると、その反力でばね手段Ｓ2の付勢力に抗して時計回りに回転される。すると、ストライカー２は、切換部材の押し部３２で下向きに押圧され、その押し力で付勢手段Ｓ1の付勢力に抗して下へ移動される。すると、ラッチ４は、前記係止態様から、ストライカー２が図６（ｂ）の矢印方向に押されると、前記係止が解除され、扉に対する押し力の解放と連動して、摺動体４０が不図示の付勢力により押されて係止部４２を筐体４０から突出する方向へ摺動し、最終的に図７（ｂ）のごとく爪部４２ａに対する係止部４２の拘束を解放して非係止態様に切り換えられる。
【００４０】
図７（ａ）〜図８（ｂ）はカトライカー２がラッチ４から係止解除されて、本体側開口部の受け部８ｃに係合して閉扉状態に保持するまでの細部を示している。以上のロック装置ＲＥでは、扉に対する押し力の解放すると、扉９Ｂは付勢ばね６９の付勢力により開方向へ移動される。その際、切換部材３は、ばね手段Ｓ2の付勢力により作動位置から起立方向に回転されて図８のごとく通常の非作動位置に切り換えられる。ストライカー２は、切換部材３が非作動位置へ切り換えられる過程において、付勢手段Ｓ1の付勢力により図７（ａ）ごとくケース１から突出する方向へ移動され、上係合部２１の上端が受け部８ｃを形成している逆凹状の下面に当接する。扉９Ｂはその当接で受ける摩擦力により速度を減じて開方向へゆっくりと移動される。続いて、ストライカー２は、付勢手段Ｓ1の付勢力により上方へ付勢されるが、その際は図８（ａ）のごとく受け部８ｃを形成している逆凹状に達すると、逆凹状の下端面から逆凹状の内縁部に圧接しながら、図８（ｂ）のごとく扉９Ｂと共に付勢力で開方向へ若干移動されて逆凹状の窪みと係合し、扉９Ｂを閉扉状態に保持（ロック）する。このような作動は、ストライカー２が受け部８ｃと対向すると、該受け部の逆凹状内に突出し係合するとき付勢力に比例した大きさのはじき音（係合時の作動音ないしは衝撃音と同じ）を生じるが、ストライカーの先端を受け部の逆凹状の下端面から逆凹状の内縁部に圧接しながら係合することにより、そのようなはじき音を制動部材を追加せず構成簡易に低減できる。
【００４１】
（３）扉９を再び開扉状態にする場合は、図８（ｂ）の閉扉状態において、手や指で扉９Ｂ又は扉９Ａを蝶番側付勢ばね６９の付勢力に抗して、矢印（２）の閉方向へ図６（ａ）のごとくオーバストロークするまで押す。換言すると、図８（ｂ）の矢印（２）は扉を閉方向へ押したときの状態を示し、図６（ａ）の矢印（２）はその押し力を解放したときの状態を示している。ここで、ロック装置ＲＥは、扉９Ｂが図８（ｂ）の矢印（２）の閉方向に押されると、ストライカー２が付勢手段Ｓ1の付勢力に抗して下方へ移動される。この過程において、切換部材３は、突当部８ｅに当たるまではばね手段Ｓ2の付勢力で起立された非作動位置に維持され、当て部３３が突当部８ｅに当たった後はその反力によりばね手段Ｓ2の付勢力に抗して時計回りに回転される。
【００４２】
すると、ストライカー２は、切換部材３の押し部３２で下向きに押圧されて、該押し力で図６（ｂ）のごとく付勢手段Ｓ1の付勢力に抗し下へ移動され、最終的には下係合部２４の爪部２４ａがラッチ４を構成している対の係止部４２にて拘束されて筐体４０内に引き込まれつつ係止される。つまりラッチ４は非係止態様から係止態様に切り換えられる。そして、扉は、押し力が解放されると、付勢ばね６９の付勢力により図６（ａ）の右図のごとく開方向へ移動され、この過程で切換部材３もばね手段Ｓ2の付勢力により起立される非作動位置へ切り換えられる。以後は、扉９Ｂ，９Ａの閉方向への押圧動作毎に扉９Ｂ，９Ａの係合保持、係合解除が繰り返されることになる。
【００４３】
（無理抜き構造）以上のロック装置ＲＥは、幼児や子供等が扉９Ｂ，９Ａの背面側閉空間（収納室等）に閉じ込められた場合の対策として簡単に係合解除可能となっている。次に、その無理抜き構造を図９及び図１０により詳述する。
【００４４】
ロック装置ＲＥは、図９（ａ）の状態において、例えば、子供が扉で閉じられた閉空間に閉じ込められた場合、扉９Ｂ，９Ａの意匠面及び背面ともに取っ手や手掛け用凹所がないため、その子供はロック装置ＲＥの係合を解除したくとも扉９Ｂ，９Ａを自力で閉空間側へ引っ張ることができず危機な状態となる。しかし、この構造では、子供がその閉空間側から扉９Ｂ又は扉９Ａを押したり叩くだけでロック装置ＲＥが自動的に係合解除し、かつ扉９Ｂ，９Ａが自動的に開扉状態に切り換えられる。
【００４５】
すなわち、ロック装置ＲＥは、振動や加重が扉９Ｂ，９Ａに加わると、シャフト３５を支点として、付勢部材Ｓ3の付勢力に抗し、かつ、板金側の係合片部５９とケース側の係止部１９との係合力に打ち勝って該係合の解除を伴って図９（ｂ）のごとく転倒され、この転倒状態でストライカー２が付勢手段Ｓ1の圧縮変位を伴って下降し、上係合部２１が受け部８ｃから外れて係合解除される。すると、扉は、閉扉状態から付勢ばね６９を介して自動的に開方向へ回動される。
【００４６】
また、ロック装置ＲＥは、図１０に示したごとく扉が再び閉方向へ押されるだけで元の正規状態に復元される。すなわち、ロック装置ＲＥは、上記図９（ｂ）又はそれよりも扉が開方向へ回動された状態で、扉が付勢ばね６９の付勢力に抗して閉方向へ押されると、ストライカー２が本体側開口部及び受け部８ｃとの緩衝を伴って付勢力に抗して下移動される。切換部材３は、図１０（ａ）のごとく本体側開口部の突当部８ｅに当接し、その反力でばね手段Ｓ2の付勢力に抗して時計回りに回転され、ストライカー２が切換部材３に押されて下移動される。扉が更に同方向へ押される過程において、ケース１は、同図（ｂ）のごとく切換部材３から受ける応力により固定ブラケット５５Ａに接近移動され、同図（ｃ）のごとく最終的に固定部ブラケット側係合片部５９に対しケース側係止部１９が弾性係合される。扉に対する押し力を解放すると、ラッチ４はストライカーの下係合部を拘束した係止態様に切り換えられる。扉は、付勢ばね６９の付勢力により開方向へ移動され、この過程で切換部材３もばね手段Ｓ2の付勢力により非作動位置へ切り換えられる。
【００４７】
（変形例）図１１及び図１２は、上記形態の一部を変更した変形例を示している。この説明では、第１形態と同じ箇所には同一符号を付し、異なる箇所又は変更された部材にのみ異なる符号を用いて変更点のみ詳述する。
【００４８】
第１の変更点は、上記固定ブラケット５５Ａ及び板金５５Ｂを一体化している点で異なっている。すなわち、この固定部ラケット５５は、ベース５に装着される両下側の装着部５６と、扉の対応部にねじで固定する際の取付孔５７ａ及び扉の対応部に引っ掛けられる掛止め部５７ｂを有した取付部５７と、両取付部５７の内側で一段短く形成されている弾性変形可能な係合片部５９とを一体に形成している。
【００４９】
第２の変更点は、上記ラッチ４に代わる係止機構４Ａ、つまりストライカー２Ａ側に設けられたカム溝４５と、ケース１側に設けられてカム溝４５をトレースするピン４６と、ピン４６を揺動可能に付勢する板ばね４７とで構成した点で異なっている。すなわち、変形例において、ケース１は、上記形態に比べてトレース用ピン５１及び該ピンを付勢する板ばね４７が付設される点で相違している。また、このストライカー２Ａは、上記ストライカー２に対して、本体２０、上係合部２１、ガイドリブ２２、筒部２５などを備えている点で同じくし、本体２０の背面に設けられて旋回タイプないしはハートカム形のカム溝２８を有している点で異なっている。
【００５０】
このうち、ピン４６は、金属製線材を略コ形状に屈曲形成したもので、下端４６ａがケース側の対応部に枢支され、上端４６ｂがケース側対応部に設けられた不図示の小開口からケース内に突出され、その状態でピン中間部が板ばね４７で付勢保持される。この板ばね４７は、下側がケース側対応部に設けられた係合凹部に圧着された状態で、上側でピン対応部を付勢し、ピン４６が該付勢力に抗して下端４６ａを支点として揺動されるようにする。カム溝２８は、図１２（ａ）に示されるごとく凸でハート形の島２９の周囲に形成されていて、下側から右上側へ延びている住路溝２８ａと、上側に位置して左右に別れている係止用誘導溝２８ｂ及び解除用誘導溝２８ｄと、誘導溝２８ｂ，２８ｄの間で少し下側に位置した凹状係止溝２８ｃと、誘導溝２８ｄから下側へ延びる復帰溝２８ｅなどで構成されている。
【００５１】
そして、以上の係止機構４Ａにおいて、図１２（ａ）は例えば開扉状態つまり図６（ａ）の右側及び同（ｂ）の状態に対応して示している。係止機構４Ａは、前段階においてストライカー２が付勢力に抗して矢印方向へ移動され、それに伴って、ピン４６（の他端４６ｂ）が係止溝２８ｃに係合し、この係合によりストライカー２を付勢手段Ｓ１の付勢力に抗して上へ移動されないよう規制している。
【００５２】
図１２（ｂ）は例えば扉が図６（ａ）の右側のごとく開扉状態から同図（ａ）の左側、へ移行される状態に対応している。係止機構４Ａは、ストライカー２が上記したごとく切換部材３に押されて付勢手段Ｓ1の付勢に抗して下へ移動され、それに伴って、ピン４６（の他端４６ｂ）が係止溝２８ｃから解除用誘導溝２８ｄに移動する。
【００５３】
図１２（ｃ）は例えば扉が図６（ａ）の左側の状態から押し力を解放した状態に対応している。係止機構４Ａは、切換手段３が作動位置から非作動位置に切り換えられ、同時にストライカー２が上記したごとく付勢手段Ｓ1の付勢力で上へ移動され受け部８ｃに係合され、ピン４６（の他端４６ｂ）が誘導溝２８ｄから復帰溝２８ｅの下端ないしは住路溝２８ａの下端に移動する。
【００５４】
図１２（ｄ）は例えば図８（ｂ）の閉扉状態から扉を矢印（２）方向へ押した状態に対応している。係止機構４Ａは、切換手段３が突当部８ｅに当たったときの反力により付勢力に抗して作動位置方向へ回転され、ストライカー２がその切換部材３の回転により下向きに押され、ピン４６（の他端４６ｂ）が住路溝２８ａから係止用誘導溝２８ｂに移動する。
【００５５】
図１２（ｅ）は例えば図１（ａ）の左側から扉に対する押し力を解放し、扉が付勢力で再び開方向へ動くときの状態に対応している。係止機構４Ａは、切換手段３が作動位置から非作動位置に回転され、トライカー２が付勢手段Ｓ1の付勢力で上へ移動され、ピン４６（の他端４６ｂ）が誘導溝２８ｂから再び係止溝２８ｃに移動することになる。以上の変形例では形態に比べてコスト低減が図られる。
【００５６】
なお、以上の形態では扉として中折れ式扉を挙げたが、本発明のロック装置は開方向へ付勢される回動タイプ（一端を支点として回動される構成、一端の枢軸や枢支部を移動しながら回動される構成を含む）の扉であれば、一枚物、逆に３枚以上連結した折り戸式扉にも適用可能である。
【符号の説明】
【００５７】
１…ケース（１２は側壁、１５ａは空間、１５ｂは小空間、１９は係止部）
２，２Ａ…ストライカー（２０は本体、２１は上係合部、２４は下係合部）
３…切換部材（３０は中間部、３１は脚部、３２は押し部、３３は当て部）
４…ラッチ（係止機構に相当し、４０は筐体、４１は摺動体、４３はカム溝）
４Ａ…係止機構（２８はカム溝、４６はピン、４７は板ばね）
５…ベース（５２は係止爪、５３は逃げ孔、５４は雌ねじ部）
６…高さ調節手段（６０はアジャスタケース、６５は操作部材）
７…蝶番（６７は蝶番片、６８は枢軸、６９は付勢ばね）
８…框（８ｃは受け部に相当するガイドレール、８ｄは凹溝、８ｅ突当部）
９Ａ，９Ｂ…中折れ式扉（９ａは凹所）
３５…シャフト（３６は周回溝）
５５，５５Ａ…固定ブラケット（５６ａは係合孔、５５Ｂは板金、５９は係合片部）
ＲＥ…ロック装置
Ｓ１…付勢手段
Ｓ２…ばね手段
Ｓ３…付勢部材
Ｂ…ねじ
【図１】
2011094440.tif 000003
【図２】
2011094440.tif 000004
【図３】
2011094440.tif 000005
【図４】
2011094440.tif 000006
【図５】
2011094440.tif 000007
【図６】
2011094440.tif 000008
【図７】
2011094440.tif 000009
【図８】
2011094440.tif 000010
【図９】
2011094440.tif 000011
【図１０】
2011094440.tif 000012
【図１１】
2011094440.tif 000013
【図１２】
2011094440.tif 000014